(57)【要約】【課題】  本発明は、水流動力装置に関する。【解決手段】  水流動力装置は、キャリア、第１のスプロケット部材、第２のスプロケット部材、第１の伝動チェーン、第２の伝動チェーン、複数の羽根構造体及びエネルギー変換ユニットを含む。キャリアは第１端部及び第２端部を有し、第２端部は第１端部に対向する。第１のスプロケット部材はキャリアの第１端部に設けられている。第２のスプロケット部材はキャリアの第２端部に設けられている。第１の伝動チェーンは第１のスプロケット部材及び第２のスプロケット部材に巻設されている。第２の伝動チェーンは第１のスプロケット部材及び第２のスプロケット部材に巻設され、且つ第１の伝動チェーンと間隔をおいて設けられている。これらの羽根構造体は間隔をおいて設けられ、各々の羽根構造体の両端は第１の伝動チェーン及び第２の伝動チェーンにそれぞれ接続されている。エネルギー変換ユニットは第１の伝動スプロケット部材又は第２のスプロケット部材に接続されている。【選択図】  図２
2018119535.tif 000002
【特許請求の範囲】
【請求項１】
第１端部及び第２端部を有し、前記第２端部は前記第１端部に対向するキャリアと、
前記キャリアの第１端部に設けられている第１のスプロケット部材と、
前記キャリアの第２端部に設けられている第２のスプロケット部材と、
前記第１のスプロケット部材及び前記第２のスプロケット部材に巻設されている第１の伝動チェーンと、
前記第１のスプロケット部材及び前記第２のスプロケット部材に巻設され、且つ前記第１の伝動チェーンと間隔をおいて設けられている第２の伝動チェーンと、
間隔をおいて設けられ、且つ各々の両端が前記第１の伝動チェーン及び前記第２の伝動チェーンにそれぞれ接続されている複数の羽根構造体と、
前記第１のスプロケット部材又は前記第２のスプロケット部材に接続されているエネルギー変換ユニットと、を含む、水流動力装置。
【請求項２】
前記キャリアは、第１側部、第２側部及び２つの浮力調整管を有し、前記第２側部は前記第１側部に対向し、前記２つの浮力調整管は前記第１側部及び前記第２側部にそれぞれ設けられている、請求項１に記載の水流動力装置。
【請求項３】
各々の前記浮力調整管内に複数の区画室を有し、各々の前記区画室内に高圧ガス及び淡水が注入される、請求項２に記載の水流動力装置。
【請求項４】
前記第１のスプロケット部材は、第１のスプロケット部、第２のスプロケット部及び第１の連結ロッドを有し、前記第１の連結ロッドの両端は前記第１のスプロケット部及び前記第２のスプロケット部にそれぞれ接続され、前記第２のスプロケット部材は、第３のスプロケット部、第４のスプロケット部及び第２の連結ロッド有し、前記第３のスプロケット部は前記第１のスプロケット部に対応し、前記第４のスプロケット部は前記第２のスプロケット部に対応し、前記第２の連結ロッドの両端は前記第３のスプロケット部及び前記第４のスプロケット部にそれぞれ接続されている、請求項１に記載の水流動力装置。
【請求項５】
前記第１の伝動チェーンは前記第１のスプロケット部材の第１のスプロケット部及び前記第２のスプロケット部材の第３のスプロケット部に巻設されている、請求項４に記載の水流動力装置。
【請求項６】
前記第２の伝動チェーンは前記第１のスプロケット部材の第２のスプロケット部及び前記第２のスプロケット部材の第４のスプロケット部に巻設されている、請求項４に記載の水流動力装置。
【請求項７】
各々の前記羽根構造体は少なくとも羽根本体及びフラップを含み、各々の前記羽根本体は側部を有し、各々の前記フラップは側部接続部を有し、各々の前記フラップの側部接続部は各々の前記羽根本体の側部にピン結合されている、請求項１に記載の水流動力装置。
【請求項８】
各々の前記羽根本体は第１の端部及び第２の端部を有し、各々の前記第１の端部は前記第１の伝動チェーンに接続され、各々の前記第２の端部は前記第２の伝動チェーンに接続され、且つ各々の前記側部は各々の前記第１の端部と各々の前記第２の端部との間に延びている、請求項７に記載の水流動力装置。
【請求項９】
各々の前記羽根構造体は第１の位置制限部材及び第２の位置制限部材をさらに含み、各々の前記フラップは第３の端部及び第４の端部を有し、各々の前記第１の位置制限部材の両端は前記第１の伝動チェーン及び各々の前記フラップの第３の端部にそれぞれ接続され、各々の前記第２の位置制限部材の両端は前記第２の伝動チェーン及び各々の前記フラップの第４の端部にそれぞれ接続されている、請求項８に記載の水流動力装置。
【請求項１０】
各々の前記第１位置制限部材は第１のスライド溝を有し、各々の前記第２の位置制限部材は第２のスライド溝を有し、各々の前記第２のスライド溝は各々の前記第１のスライド溝に対応する、請求項９に記載の水流動力装置。
【請求項１１】
各々の前記第１の位置制限部材の一端は前記第１の伝動チェーンの第１のリンクプレートに接続され、各々の前記第１のリンクプレートは第１の偏心ピンを有し、各々の前記第１のスライド溝は各々の前記第１のリンクプレートの第１の偏心ピンにピン結合されている、請求項１０に記載の水流動力装置。
【請求項１２】
各々の前記第２の位置制限部材の一端は前記第２の伝動チェーンの第２のリンクプレートに接続され、各々の前記第２のリンクプレートは第２偏心ピンを有し、各々の前記第２のスライド溝は各々の前記第２のリンクプレートの第２の偏心ピンにピン結合されている、請求項１１に記載の水流動力装置。
【請求項１３】
各々の前記第１の位置制限部材の一端は前記第１の伝動チェーンの第１のリンクプレートに接続され、各々の前記第１のリンクプレートは第１の偏心ピンを有し、且つ各々の前記第１のリンクプレートに第１の中心線及び第１の中心点が定義されており、各々の前記第１の偏心ピンの中心と各々の前記第１の中心線との間に水平距離を有し、各々の前記第１の偏心ピンの中心と各々の前記第１の中心点との間に垂直距離を有する、請求項９に記載の水流動力装置。
【請求項１４】
各々の前記羽根構造体はピン結合ロッドをさらに含み、各々の前記ピン結合ロッドは各々の前記羽根本体の側部及び各々の前記フラップの側部接続部を貫通し、各々の前記ピン結合ロッドの中心と各々の前記第３の端部のピンの中心との間に間隔を有する、請求項９に記載の水流動力装置。
【請求項１５】
各々の前記羽根構造体はピン結合ロッドをさらに含み、各々の前記ピン結合ロッドは各々の前記羽根本体の側部及び各々の前記フラップの側部接続部を貫通する、請求項７に記載の水流動力装置。
【請求項１６】
各々の前記羽根構造体は２つの側部バッフルプレートをさらに含み、各々の前記羽根本体は第１の端部及び第２の端部を有し、前記２つの側部バッフルプレートは各々の前記第１の端部及び各々の前記第２の端部にそれぞれ設けられている、請求項７に記載の水流動力装置。
【請求項１７】
前記エネルギー変換ユニットは軸発電装置である、請求項１に記載の水流動力装置。
【請求項１８】
前記エネルギー変換ユニットは液圧装置である、請求項１に記載の水流動力装置。
【請求項１９】
前記液圧装置に接続されている発電装置をさらに含む、請求項１８に記載の水流動力装置。
【発明の詳細な説明】
【技術分野】
【０００１】
本発明は、動力装置に関し、特に水流動力装置に関する。
【背景技術】
【０００２】
水流発電装置は、洋流、潮汐若しくは河流を利用した発電可能な設備であり、水流の運動エネルギーを機械的エネルギー、電気エネルギーに順次変換可能な機構を備えることを必要とする。例えば、台湾特許公報第Ｉ５２６６０９号に開示の「海流発電装置」は、水流を利用して羽根を回転させて機械的エネルギーを発生させ、それから発電機により機械的エネルギーを電気エネルギーに変換させることが開示されている。しかしながら、上述した海流発電装置の動力構造はその設計が望ましくなく、高流速（＞３ｍ／ｓ）の水流下でのみ動作することができ、平均流速が１ｍ／ｓ未満の洋流や海流に設置した場合は、正常に動作することが完全にできなくなる。
【先行技術文献】
【特許文献】
【０００３】
【特許文献１】台湾特許公報第Ｉ５２６６０９号
【発明の概要】
【０００４】
したがって、上記問題を解決するためには、革新的で進歩性を備えた水流動力装置を提供する必要がある。
【０００５】
一実施例において、水流動力装置は、キャリア、第１のスプロケット部材、第２のスプロケット部材、第１の伝動チェーン、第２の伝動チェーン、複数の羽根構造体及びエネルギー変換ユニットを含む。キャリアは第１端部及び第２端部を有し、第２端部は第１端部に対向する。第１のスプロケット部材はキャリアの第１端部に設けられている。第２のスプロケット部材はキャリアの第２端部に設けられている。第１の伝動チェーンは第１のスプロケット部材及び第２のスプロケット部材に巻設されている。第２の伝動チェーンは第１のスプロケット部材及び第２のスプロケット部材に巻設され、且つ第１の伝動チェーンと間隔をおいて設けられている。これらの羽根構造体は間隔をおいて設けられ、各々の羽根構造体の両端は第１の伝動チェーン及び第２の伝動チェーンにそれぞれ接続されている。エネルギー変換ユニットは第１の伝動スプロケット部材又は第２のスプロケット部材に接続されている。
【図面の簡単な説明】
【０００６】
【図１】本発明の実施態様に係る水流動力装置の分解斜視図を示す。
【図２】本発明の実施態様に係る水流動力装置の組立斜視図を示す。
【図３】本発明の実施態様に係る水流動力装置の組立正面図を示す。
【図４】本発明の実施態様に係る第１の伝動チェーン、第２の伝動チェーン、第１のスプロケット部材及び第２のスプロケット部材の組立斜視図を示す。
【図５】本発明の実施態様に係る羽根構造体が第１の伝動チェーン及び第２の伝動チェーンに接続されている拡大図を示す。
【図６】本発明の実施態様に係る羽根構造体の斜視図である。
【図７】本発明の実施態様に係る羽根構造体のフラップが第１の位置制限部材にて第１の伝動チェーンに接続されている説明図を示す。
【図８】本発明の実施態様に係る羽根構造体のフラップが第２の位置制限部材にて第２の伝動チェーンに接続されている説明図を示す。
【図９】本発明の実施態様に係る羽根構造体、第１の伝動チェーン及び第２の伝動チェーンの動作説明図を示す。
【０００７】
図面及び本明細書においては、共通の参考符号を使用して同一又は類似する部品を示す。本発明は以下の詳細な説明と添付された図面との組み合わせによりさらに明らかになる。
【発明を実施するための形態】
【０００８】
図１は、本発明の実施態様に係る水流動力装置の分解斜視図を示す。図２は、本発明の実施態様に係る水流動力装置の組立斜視図を示す。図３は、本発明の実施態様に係る水流動力装置の組立正面図を示す。図１、図２及び図３をともに参照すると、本発明の水流動力装置１は、キャリア１０、第１のスプロケット部材２０、第２のスプロケット部材３０、第１の伝動チェーン４０、第２の伝動チェーン５０、複数の羽根構造体６０及びエネルギー変換ユニット７０を含む。
【０００９】
キャリア１０は、第１端部１１、第２端部１２、第１側部１３、第２側部１４及び２つの浮力調整管１５を有する。第２端部１２は、第１端部１１に対向する。第１側部１３は、第１端部１１と第２端部１２との間に延びている。第２側部１４は、第１側部１３に対向し、且つ同様に第１端部１１と第２端部１２との間に延長されている。２つの浮力調整管１５は第１側部１３及び第２側部１４にそれぞれ設けられている。本実施例において、２つの浮力調整管１５は第１端部１１と第２端部１２との間に延びている。
【００１０】
各々の浮力調整管１５内に複数の区画室１５Ｓを有し、各々の区画室１５Ｓ内には、高圧ガス及び淡水が注入され、水流動力装置１全体の浮力を調整するために用い、且つ操作時間の累積に伴って、キャリア１０の外部に海洋生物が付着しやすくなり、水流動力装置１の重量が増えることを考慮する。各々の浮力調整管１５の浮力調整は、各々の区画室１５Ｓの貯水量を管理することにより、海洋生物の増加による追加の負荷に対応する。また、各々の浮力調整管１５内に高圧ガスを注入することによっても、水中の圧力が各々の浮力調整管１５を圧縮することを防止することができる。１つ又は複数の実施態様において、各々の浮力調整管１５は中空円柱管であり、外部の水圧による押圧に対して有効に抵抗すると共に、材料に必要な強度を低下させることができ、且つ水流動力装置１の重量を有効に軽減することもできる。
【００１１】
第１のスプロケット部材２０は、キャリア１０の第１端部１１に設けられている。第１のスプロケット部材２０は、第１のスプロケット部２１、第２のスプロケット部２２及び第１の連結ロッド２３を有する。第１の連結ロッド２３の両端は、第１のスプロケット部２１及び第２のスプロケット部２２にそれぞれ接続されている。
【００１２】
第２のスプロケット部材３０は、キャリア１０の第２端部１２に設けられている。第２のスプロケット部材３０は、第３のスプロケット部３１、第４のスプロケット部３２及び第２の連結ロッド３３を有する。第３のスプロケット部３１は第１のスプロケット部２１に対応する。第４のスプロケット部３２は第２のスプロケット部２２に対応する。第２の連結ロッド３３の両端は、第３のスプロケット部３１及び第４のスプロケット部３２にそれぞれ接続されている。
【００１３】
図４は、本発明の実施態様に係る第１の伝動チェーン、第２の伝動チェーン、第１のスプロケット部材及び第２のスプロケット部材の組立斜視図を示す。図２及び図４をともに参照すると、第１の伝動チェーン４０は、第１のスプロケット部材２０及び第２のスプロケット部材３０に巻設されている。本実施態様において、第１の伝動チェーン４０は、第１のスプロケット部材２０の第１のスプロケット部２１及び第２のスプロケット部材３０の第３のスプロケット部３１に巻設されている。
【００１４】
第２の伝動チェーン５０は、第１のスプロケット部材２０及び第２のスプロケット部材３０に巻設され、且つ第１の伝動チェーン４０と間隔をおいて設けられている。本実施態様において、第２の伝動チェーン５０は、第１のスプロケット部材２０の第２のスプロケット部２２及び第２のスプロケット部材３０の第４のスプロケット部３２に巻設されている。
【００１５】
第１の伝動チェーン４０及び第２の伝動チェーン５０を同期伝動させることができるように、１つ又は複数の実施態様において、第１の伝動チェーン４０の長さは第２の伝動チェーン５０の長さと等しくなっている。
【００１６】
図５は、本発明の実施態様に係る羽根構造体が第１の伝動チェーン及び第２の伝動チェーンに接続されている拡大図を示す。図１、図２及び図５を参照すると、これらの羽根構造体６０は間隔をおいて設けられ、且つ各々の羽根構造体６０の両端は第１の伝動チェーン４０及び第２の伝動チェーン５０にそれぞれ接続されている。
【００１７】
図６は、本発明の実施態様に係る羽根構造体の斜視図を示す。図７は、本発明の実施態様に係る羽根構造体のフラップが第１の位置制限部材にて第１の伝動チェーンに接続されている説明図を示す。図５、図６及び図７を参照すると、各々の羽根構造体６０は、少なくとも羽根本体６１及びフラップ６２を含む。
【００１８】
各々の羽根本体６１は、第１の端部６１１、第２の端部６１２及び側部６１３を有する。各々の第１の端部６１１は第１の伝動チェーン４０に接続されている。各々の第２の端部６１２は各々の第１の端部６１１に対向し、且つ各々の第２の端部６１２は第２の伝動チェーン５０に接続されている。各々の側部６１３は、各々の第１の端部６１１と各々の第２の端部６１２との間に延びている。本実施態様において、各々の第１の端部６１１は第１のピン結合部６１１Ｐを有し、各々の第２の端部６１２は第２のピン結合部６１２Ｐを有し、各々の第１の端部６１１は各々の第１のピン結合部６１１Ｐにより第１の伝動チェーン４０にピン結合され、各々の第２の端部６１２は各々の第２のピン結合部６１２Ｐにより第２の伝動チェーン５０にピン結合されている。
【００１９】
各々のフラップ６２は、第３の端部６２１、第４の端部６２２及び側部接続部６２３を有する。各々の第４の端部６２２は各々の第３の端部６２１に対向する。各々のフラップ６２が上下にスウィングすることができるように、各々の側部接続部６２３は各々の第３の端部６２１と各々の第４の端部６２２との間に延び、且つ各々の側部接続部６２３は各々の羽根本体６１の側部６１３にピン結合されている。
【００２０】
図８は、本発明の実施態様に係る羽根構造体のフラップが第２の位置制限部材にて第２の伝動チェーンに接続されている説明図を示す。図６、図７及び図８を参照すると、各々のフラップ６２のスウィング角度を制御するために、本実施態様において、各々の羽根構造体６０は、第１の位置制限部材６３及び第２の位置制限部材６４をさらに含む。各々の第１の位置制限部材６３の両端は、第１の伝動チェーン４０及び各々のフラップ６２の第３の端部６２１にそれぞれ接続されている。各々の第２の位置制限部材６４の両端は、第２の伝動チェーン５０及び各々のフラップ６２の第４の端部６２２にそれぞれ接続されている。
【００２１】
本実施態様において、各々の第１の位置制限部材６３の一端は第１の伝動チェーン４０の第１のリンクプレート４０１に接続され、各々の第１の位置制限部材６３の他端は各々の第３の端部６２１のピン６２１Ｐに接続されている。各々の第１のリンクプレート４０１は第１の偏心ピン４０１Ｐを有し、且つ各々の第１のリンクプレート４０１に第１の中心線Ｌ１及び第１の中心点Ｃ１が定義される。また、各々の第１の偏心ピン４０１Ｐの中心と各々の第１の中心線Ｌ１との間に水平距離ｄ１を有し、各々の第１の偏心ピン４０１Ｐの中心と各々の第１の中心点Ｃ１との間に垂直距離ｄ２を有し、本実施態様において、垂直距離ｄ２は水平距離ｄ１より大きい。もしくは、他の実施態様において、垂直距離ｄ２は水平距離ｄ１以下であってもよい。
【００２２】
本実施態様において、各々の第２の位置制限部材６４の一端は第２の伝動チェーン５０の第２のリンクプレート５０１に接続され、各々の第２の位置制限部材６４の他端は各々の第４の端部６２２のピン６２２Ｐに接続されている。各々の第２のリンクプレート５０１は第２の偏心ピン５０１Ｐを有する。各々の第２のリンクプレート５０１の構造と配置は各々の第１のリンクプレート４０１と同様であるため、繰り返し説明は省略する。
【００２３】
各々のフラップ６２がスウィングする際に、各々の羽根本体６１を同期スウィングさせるために、各々の第１の位置制限部材６３及び各々の第２の位置制限部材６４も各々の羽根本体６１のスウィング角度を制御する機能を有する。
【００２４】
また、各々の羽根本体６１及び各々のフラップ６２が水流の推進力によってスウィング角度を自動的に調整できるようにするために、本実施態様において、各々の第１の位置制限部材６３は第１のスライド溝６３Ｈを有し、各々の第１のスライド溝６３Ｈは各々の第１のリンクプレート４０１の第１の偏心ピン４０１Ｐにピン結合されている。各々の第１の位置制限部材６３は各々の第１のリンクプレート４０１に対して移動することができ、つまり、各々の第１の偏心ピン４０１Ｐは各々の第１のスライド溝６３Ｈ内に位置し、且つ各々の第１のスライド溝６３Ｈ内で、各々の第１の位置制限部材６３と相対摺動することができる。各々の第２の位置制限部材６４は第２のスライド溝６４Ｈを有し、各々の第２のスライド溝６４Ｈは各々の第１のスライド溝６３Ｈに対応し、且つ各々の第２のスライド溝６４Ｈは各々の第２のリンクプレート５０１の第２の偏心ピン５０１Ｐにピン結合されている。各々の第２の位置制限部材６４は各々の第２のリンクプレート５０１に対して移動することができ、つまり、各々の第２の偏心ピン５０１Ｐは各々の第２のスライド溝６４Ｈ内に位置し、且つ各々の第２のスライド溝６４Ｈ内で、各々の第２の位置制限部材６４と相対摺動することができる。言い換えれば、各々の第１の位置制限部材６３は、各々の第１の偏心ピン４０１Ｐを支持点として各々の第１のスライド溝６３Ｈの長手方向に沿って摺動することができ、各々の第２の位置制限部材６４は、各々の第２の偏心ピン５０１Ｐを支持点として各々の第２のスライド溝６４Ｈの長手方向に沿って摺動することができ、それにより自体の位置を調整し、さらに各々のフラップ６２及び各々の羽根本体６１のスウィング角度を調整する。
【００２５】
１つ又は複数の実施態様において、各々の第１のスライド溝６３Ｈの長さは各々の第２のスライド溝６４Ｈの長さと等しくなっている。
【００２６】
１つ又は複数の実施態様において、各々のピン結合ロッド６５が各々のフラップ６２のスウィング時のピンとすることができるように、各々の羽根構造体６０はピン結合ロッド６５が各々の羽根本体６１の側部６１３、及び各々のフラップ６２の側部接続部６２３を貫通することができる。また、各々のピン結合ロッド６５の中心と各々の第３の端部６２１のピン６２１Ｐの中心との間に間隔ｄを有する。
【００２７】
また、図６に示されているように、水流が各々の羽根構造体６０の両端から旋回流を発生することを防止するために、本実施態様において、各々の羽根構造体６０は、２つの側部バッフルプレート６６をさらに含む。２つの側部バッフルプレート６６は、各々の羽根本体６１の各々の第１の端部６１１及び各々の第２の端部６１２にそれぞれ設けられ、且つ各々のフラップ６２が２つの側部バッフルプレート６６の間に位置するように、各々の側部バッフルプレート６６の長さは各々のフラップ６２まで延びている。水流が各々の羽根本体６１及び各々のフラップ６２に完全に作用し且つ各々の羽根構造体６０の振動を減少し得るように、２つの側部バッフルプレート６６は、水流が各々の羽根構造体６０の両端から旋回流を発生することを抑制することができる。
【００２８】
図９は、本発明の実施態様に係る羽根構造体、第１の伝動チェーン及び第２の伝動チェーンの動作説明図を示す。図４、図６及び図９を参照すると、水流の推進力Ｗｆが前列の各々の羽根構造体６０に作用する際に、水流の推進力Ｗｆの作用及び回転軸の位置の差異によって、各々の羽根本体６１は上方にスウィングし、各々のフラップ６２は下方にスウィングし、且つ各々の第１の位置制限部材６３及び各々の第２の位置制限部材６４の位置制限を受けて（このとき、各々の第１の位置制限部材６３と第１の伝動チェーン４０との夾角が約９０度であり、各々の第２の位置制限部材６４と第２の伝動チェーン５０との夾角も約９０度である）、水流の推進力Ｗｆを前方の揚力Ｆに変換し、それにより第１の伝動チェーン４０及び第２の伝動チェーン５０を上方に推進させると共に、第１のスプロケット部材２０及び第２のスプロケット部材３０を同期回転させる。前列のこれらの羽根構造体６０を通過した後の水流は流向が変更され、且つその水流の推進力Ｗｆは後列の各々の羽根構造体６０に作用し続けて、変更された流向及び流速に合わせて、各々の羽根本体６１は改めて下方にスウィングし、各々のフラップ６２は改めて上方にスウィングし（このとき、各々の第１の位置制限部材６３と第１の伝動チェーン４０との夾角は９０度未満であり、各々の第２の位置制限部材６４と第２の伝動チェーン５０との夾角も９０度未満である）、前列の各々の羽根構造体６０の変換により得られた前方の揚力Ｆと、数値は近いが、方向が逆の後方の揚力Ｆ’を取得し、それにより第１の伝動チェーン４０及び第２の伝動チェーン５０を下方に推進させると共に、第１のスプロケット部材２０及び第２のスプロケット部材３０を同期回転させる。言い換えれば、同一断面の水流の推進力Ｗｆは、前列及び後列の各々の羽根構造体６０にそれぞれ働くことができ、第１の伝動チェーン４０及び第２の伝動チェーン５０にてこれらの羽根構造体６０が変換して得られた前方の揚力Ｆ及び後方の揚力Ｆ’を重ね合わせて、最大の出力電力に達することができる。
【００２９】
前、後列の羽根構造体６０のアタック角の設計は、水流動力装置１が最大エネルギーを獲得できるようにする他に、前列の羽根構造体６０を通過した水流は、その流速が部分的に加速された効果があり、その流向が、後列の羽根構造体６０のアタック角の要求を満たすことができるようにする。さらに、後列の羽根構造体６０を通過した水流は、その流向も回復して前列の羽根構造体６０の入口の水流の流向に平行となる。このように、水流動力装置１を通過した水流は、前後の流場の流向が一致し、後流が安定し、環境に対する影響を大幅に低減することができる。
【００３０】
さらに図１、図２及び図３を参照すると、エネルギー変換ユニット７０は第１のスプロケット部材２０に接続され、或いは、他の実施態様において、エネルギー変換ユニット７０は第２のスプロケット部材３０に接続されていることができる。本実施態様において、エネルギー変換ユニット７０は軸発電装置であり、軸発電装置の回転軸（図示せず）が第１のスプロケット部材２０に接続されて、第１のスプロケット部材２０が回転する際に軸発電装置が発電するように駆動させることができる。或いは、他の実施態様において、エネルギー変換ユニット７０は液圧装置であってもよく、液圧装置は第１のスプロケット部材２０に接続することができ、且つ水流動力装置１は発電装置（図示せず）をさらに含むことができ、発電装置は液圧装置に接続され、且つ発電装置は水面の上方又は水面の下方に配置することができる。第１のスプロケット部材２０が回転する際に、液圧装置を駆動させ、さらに液圧装置が発電装置が発電するように駆動させることができる。
【００３１】
本発明の水流動力装置１は、平均流速が１ｍ／ｓ未満の洋流や海流においても正常に動作することができ、洋流や海流の広範な開発に役に立つ。
【００３２】
上述の実施例は、単に本発明の原理及びその効果を説明するためのものであり、本発明を限定するものではなく、したがって当業者が上述の実施例に対して行う修正及び変更も本発明の構想から逸脱するものではない。本発明の権利の範囲は、後述する特許請求の範囲に記載されたとおりである。
【符号の説明】
【００３３】
１        水流動力装置
１０      キャリア
１１      第１端部
１２      第２端部
１３      第１側部
１４      第２側部
１５      浮力調整管
１５Ｓ    区画室
２０      第１のスプロケット部材
２１      第１のスプロケット部
２２      第２のスプロケット部
２３      第１の連結ロッド
３０      第２のスプロケット部材
３１      第３のスプロケット部
３２      第４のスプロケット部
３３      第２の連結ロッド
４０      第１の伝動チェーン
４０１    第１のリンクプレート
４０１Ｐ  第１の偏心ピン
５０      第２の伝動チェーン
５０１    第２のリンクプレート
５０１Ｐ  第２の偏心ピン
６０      羽根構造体
６１      羽根本体
６１１    第１の端部
６１１Ｐ  第１のピン結合部
６１２    第２の端部
６１２Ｐ  第２のピン結合部
６１３    側部
６２      フラップ
６２１    第３の端部
６２１Ｐ  第３の端部のピン
６２２    第４の端部
６２２Ｐ  第４の端部のピン
６２３    側部接続部
６３      第１の位置制限部材
６３Ｈ    第１のスライド溝
６４      第２の位置制限部材
６４Ｈ    第２のスライド溝
６５      ピン結合ロッド
６６      側部バッフルプレート
７０      エネルギー変換ユニット
Ｃ１      第１の中心点
ｄ        間隔
ｄ１      水平距離
ｄ２      垂直距離
Ｆ        前方の揚力
Ｆ’      後方の揚力
Ｌ１      第１の中心線
Ｗｆ      水流の推進力
【図１】
2018119535.tif 000003
【図２】
2018119535.tif 000004
【図３】
2018119535.tif 000005
【図４】
2018119535.tif 000006
【図５】
2018119535.tif 000007
【図６】
2018119535.tif 000008
【図７】
2018119535.tif 000009
【図８】
2018119535.tif 000010
【図９】
2018119535.tif 000011
【手続補正書】
【提出日】平成30年4月11日(2018.4.11)
【手続補正１】
【補正対象書類名】特許請求の範囲
【補正対象項目名】全文
【補正方法】変更
【補正の内容】
【特許請求の範囲】
【請求項１】
第１端部及び第２端部を有し、前記第２端部は前記第１端部に対向するキャリアと、
前記キャリアの第１端部に設けられている第１のスプロケット部材と、
前記キャリアの第２端部に設けられている第２のスプロケット部材と、
前記第１のスプロケット部材及び前記第２のスプロケット部材に巻設されている第１の伝動チェーンと、
前記第１のスプロケット部材及び前記第２のスプロケット部材に巻設され、且つ前記第１の伝動チェーンと間隔をおいて設けられている第２の伝動チェーンと、
間隔をおいて設けられ、且つ各々の両端が前記第１の伝動チェーン及び前記第２の伝動チェーンにそれぞれ接続されている複数の羽根構造体と、
前記第１のスプロケット部材又は前記第２のスプロケット部材に接続されているエネルギー変換ユニットと、を含み、
各々の前記羽根構造体は少なくとも羽根本体及びフラップを含み、各々の前記羽根本体は側部を有し、各々の前記フラップは側部接続部を有し、各々の前記フラップの側部接続部は各々の前記羽根本体の側部にピン結合されている、水流動力装置。
【請求項２】
前記キャリアは、第１側部、第２側部及び２つの浮力調整管を有し、前記第２側部は前記第１側部に対向し、前記２つの浮力調整管は前記第１側部及び前記第２側部にそれぞれ設けられている、請求項１に記載の水流動力装置。
【請求項３】
各々の前記浮力調整管内に複数の区画室を有し、各々の前記区画室内に高圧ガス及び淡水が注入される、請求項２に記載の水流動力装置。
【請求項４】
前記第１のスプロケット部材は、第１のスプロケット部、第２のスプロケット部及び第１の連結ロッドを有し、前記第１の連結ロッドの両端は前記第１のスプロケット部及び前記第２のスプロケット部にそれぞれ接続され、前記第２のスプロケット部材は、第３のスプロケット部、第４のスプロケット部及び第２の連結ロッド有し、前記第３のスプロケット部は前記第１のスプロケット部に対応し、前記第４のスプロケット部は前記第２のスプロケット部に対応し、前記第２の連結ロッドの両端は前記第３のスプロケット部及び前記第４のスプロケット部にそれぞれ接続されている、請求項１に記載の水流動力装置。
【請求項５】
前記第１の伝動チェーンは前記第１のスプロケット部材の第１のスプロケット部及び前記第２のスプロケット部材の第３のスプロケット部に巻設されている、請求項４に記載の水流動力装置。
【請求項６】
前記第２の伝動チェーンは前記第１のスプロケット部材の第２のスプロケット部及び前記第２のスプロケット部材の第４のスプロケット部に巻設されている、請求項４に記載の水流動力装置。
【請求項７】
各々の前記羽根本体は第１の端部及び第２の端部を有し、各々の前記第１の端部は前記第１の伝動チェーンに接続され、各々の前記第２の端部は前記第２の伝動チェーンに接続され、且つ各々の前記側部は各々の前記第１の端部と各々の前記第２の端部との間に延びている、請求項１に記載の水流動力装置。
【請求項８】
各々の前記羽根構造体は第１の位置制限部材及び第２の位置制限部材をさらに含み、各々の前記フラップは第３の端部及び第４の端部を有し、各々の前記第１の位置制限部材の両端は前記第１の伝動チェーン及び各々の前記フラップの第３の端部にそれぞれ接続され、各々の前記第２の位置制限部材の両端は前記第２の伝動チェーン及び各々の前記フラップの第４の端部にそれぞれ接続されている、請求項７に記載の水流動力装置。
【請求項９】
各々の前記第１位置制限部材は第１のスライド溝を有し、各々の前記第２の位置制限部材は第２のスライド溝を有し、各々の前記第２のスライド溝は各々の前記第１のスライド溝に対応する、請求項８に記載の水流動力装置。
【請求項１０】
各々の前記第１の位置制限部材の一端は前記第１の伝動チェーンの第１のリンクプレートに接続され、各々の前記第１のリンクプレートは第１の偏心ピンを有し、各々の前記第１のスライド溝は各々の前記第１のリンクプレートの第１の偏心ピンにピン結合されている、請求項９に記載の水流動力装置。
【請求項１１】
各々の前記第２の位置制限部材の一端は前記第２の伝動チェーンの第２のリンクプレートに接続され、各々の前記第２のリンクプレートは第２偏心ピンを有し、各々の前記第２のスライド溝は各々の前記第２のリンクプレートの第２の偏心ピンにピン結合されている、請求項１０に記載の水流動力装置。
【請求項１２】
各々の前記第１の位置制限部材の一端は前記第１の伝動チェーンの第１のリンクプレートに接続され、各々の前記第１のリンクプレートは第１の偏心ピンを有し、且つ各々の前記第１のリンクプレートに第１の中心線及び第１の中心点が定義されており、各々の前記第１の偏心ピンの中心と各々の前記第１の中心線との間に水平距離を有し、各々の前記第１の偏心ピンの中心と各々の前記第１の中心点との間に垂直距離を有する、請求項８に記載の水流動力装置。
【請求項１３】
各々の前記羽根構造体はピン結合ロッドをさらに含み、各々の前記ピン結合ロッドは各々の前記羽根本体の側部及び各々の前記フラップの側部接続部を貫通し、各々の前記ピン結合ロッドの中心と各々の前記第３の端部のピンの中心との間に間隔を有する、請求項８に記載の水流動力装置。
【請求項１４】
各々の前記羽根構造体はピン結合ロッドをさらに含み、各々の前記ピン結合ロッドは各々の前記羽根本体の側部及び各々の前記フラップの側部接続部を貫通する、請求項１に記載の水流動力装置。
【請求項１５】
各々の前記羽根構造体は２つの側部バッフルプレートをさらに含み、各々の前記羽根本体は第１の端部及び第２の端部を有し、前記２つの側部バッフルプレートは各々の前記第１の端部及び各々の前記第２の端部にそれぞれ設けられている、請求項１に記載の水流動力装置。
【請求項１６】
前記エネルギー変換ユニットは軸発電装置である、請求項１に記載の水流動力装置。
【請求項１７】
前記エネルギー変換ユニットは液圧装置である、請求項１に記載の水流動力装置。
【請求項１８】
前記液圧装置に接続されている発電装置をさらに含む、請求項１７に記載の水流動力装置。
【外国語明細書】
2018119535000001.pdf